(57)【要約】【課題】  バリキャップダイオード内蔵のＩＣを用いて、低コスト且つ容易に可変量特性を調整することができる電圧制御水晶発振器を提供する。【解決手段】  水晶振動子１と、水晶振動子１に並列に接続されたインバータ２１、インバータ２１の両端に接続されるバリキャップダイオード２６，２７を含むＩＣを備え、ＩＣが、バリキャップダイオード２６のアノード側に一端が接続し、他端が接地されたトリミング素子３１と、バリキャップダイオード２７のアノード側に一端が接続し、他端が接地されたトリミング素子３２とを備えた電圧制御水晶発振器としており、トリミング素子３１，３２を切断することで、それに接続された内蔵バリキャップダイオード２６，２７を無効として、代わりに特性の異なるバリキャップダイオードを外付けで設けて、周波数可変量特性を低コスト且つ容易に可変量特性を調整できるものとしている。【選択図】        図１
2014171159.tif 000002
【特許請求の範囲】
【請求項１】
水晶振動子と、前記水晶振動子に並列に接続されたインバータ、前記インバータの入力側に接続される第１のバリキャップダイオード、前記インバータの出力側に接続される第２のバリキャップダイオードを含むＩＣとを備えた電圧制御水晶発振器であって、
前記ＩＣが、前記第１のバリキャップダイオードのアノード側に一端が接続し、他端が接地された第１のトリミング素子と、前記第２のバリキャップダイオードのアノード側に一端が接続し、他端が接地された第２のトリミング素子とを備えたことを特徴とする電圧制御水晶発振器。
【請求項２】
第１のトリミング素子に並列に接続された第３のバリキャップダイオードと、第２のトリミング素子に並列に接続された第４のバリキャップダイオードとを備えたことを特徴とする請求項１記載の電圧制御水晶発振器。
【請求項３】
第１のトリミング素子に並列に接続された第１のコンデンサと、第２のトリミング素子に並列に接続された第２のコンデンサとを備えたことを特徴とする請求項１記載の電圧制御水晶発振器。
【請求項４】
水晶振動子と、前記水晶振動子に並列に接続されたインバータ、前記インバータの入力側に接続される第１のバリキャップダイオード、前記インバータの出力側に接続される第２のバリキャップダイオードを含むＩＣとを備えた電圧制御水晶発振器であって、
前記ＩＣは、前記第１のバリキャップダイオードに並列に、直列接続された第３のトリミング素子と第５のバリキャップダイオードが設けられ、前記第２のバリキャップダイオードに並列に、直列接続された第４のトリミング素子と第６のバリキャップダイオードが設けられていることを特徴とする電圧制御水晶発振器。
【請求項５】
水晶振動子と、前記水晶振動子に並列に接続されたインバータ、前記インバータの入力側に接続される第１のバリキャップダイオード、前記インバータの出力側に接続される第２のバリキャップダイオードを含むＩＣとを備えた電圧制御水晶発振器であって、
前記ＩＣは、前記第１のバリキャップダイオードに並列に、直列接続された第５のトリミング素子と第３のコンデンサが設けられ、前記第２のバリキャップダイオードに並列に、直列接続された第６のトリミング素子と第４のコンデンサが設けられていることを特徴とする電圧制御水晶発振器。
【発明の詳細な説明】
【技術分野】
【０００１】
本発明は、発振回路がＩＣに集積された電圧制御水晶発振器に係り、特に用途に応じて出力周波数の可変量特性を容易に調整することができる電圧制御水晶発振器に関する。
【背景技術】
【０００２】
［先行技術の説明］
近年、電子機器の小型化に伴って、電圧制御水晶発振器（ＶＣＸＯ；Voltage-Controlled Crystal Oscillator）も小型化が要求されている。そのため、コンデンサやバリキャップダイオード等の電子部品を半導体集積回路（ＩＣ；Integrated Circuit）内に内蔵したものがある。
【０００３】
［従来のＶＣＸＯの構成：図１２］
従来のＶＣＸＯの構成について図１２を用いて説明する。図１２は、従来のＶＣＸＯの一例を示す回路図である。
図１２に示すように、従来のＶＣＸＯは、水晶振動子１とＩＣ２とを備えており、ＩＣ２は、水晶振動子１の一端に接続するＸＴＮ端子と、他端に接続するＸＴ端子と、制御電圧が入力されるＶＣ端子とを備えている。
【０００４】
そして、第１のインバータ２１の入力側がコンデンサ２４を介してＸＴ端子に接続され、第１のインバータ２１の出力側がコンデンサ２５を介して第２のインバータ２２の入力側に接続されている。
第１のインバータ２１の入力と出力は、抵抗２３を介して接続されている。
第２のインバータ２２の出力は、出力端子であるＱ端子に接続されている。
【０００５】
更に、ＸＴ端子とＸＴＮ端子は、それぞれ、バリキャップダイオード２６，２７を介して接地されている。
そして、ＸＴ端子とバリキャップダイオード２６との間の点が、抵抗２８を介してＶＣ端子に接続され、ＸＴＮ端子とバリキャップダイオード２７の間の点が、抵抗２９を介してＶＣ端子に接続されて、それぞれ制御電圧が印加されている。
また、ＩＣ２には、電源電圧が供給されるＶＤＤ端子と、接地端子であるＶＳＳ端子が設けられている。
【０００６】
このように、従来のＶＣＸＯは、バリキャップダイオードを内蔵したＩＣ２を用いており、容量の選択範囲が限定されていた。容量の可変範囲を変えるためには、別のＩＣを用いる必要があった。
また、固定通信用途向けのＶＣＸＯでは、小型化よりも可変量を大きくすることが要求されるため、外付けのバリキャップダイオードを用いて可変量特性を調整することが望ましい。
【０００７】
［従来のＶＣＸＯの可変量特性：図１３］
図１３は、従来のＶＣＸＯの可変量特性の一例を示す特性図である。
図１３に示すように、ＶＣＸＯの周波数は制御電圧Ｖｃに対してほぼ直線的に変化し、従来のＶＣＸＯでは、例えば、ΔＦ／Ｆが−１５０ppm〜１５０ppm程度の範囲の出力周波数が得られるものがあった。
【０００８】
［関連技術］
尚、ＩＣを用いたＶＣＸＯに関する技術としては、特開２００８−２５８９０１号公報「圧電デバイス」（エプソントヨコム株式会社、特許文献１）があった。
特許文献１には、ＩＣとは別に、要求される周波数可変特性に応じて設けられる可変容量素子や抵抗等を、パッケージの低温焼成基板上に導電体を印刷して形成することで、デバイスを小型化することが記載されている。
【先行技術文献】
【特許文献】
【０００９】
【特許文献１】特開２００８−２５８９０１号公報
【発明の概要】
【発明が解決しようとする課題】
【００１０】
しかしながら、従来のバリキャップダイオード内蔵のＩＣを用いたＶＣＸＯでは、可変量特性を調整することが困難であるという問題点があった。
【００１１】
尚、特許文献１には、トリミング素子を利用して可変量特性を調整することは記載されていない。
【００１２】
本発明は上記実状に鑑みて為されたもので、低コスト且つ容易に可変量特性を調整することができる電圧制御水晶発振器を提供することを目的とする。
【課題を解決するための手段】
【００１３】
上記従来例の問題点を解決するための本発明は、水晶振動子と、水晶振動子に並列に接続されたインバータ、インバータの入力側に接続される第１のバリキャップダイオード、インバータの出力側に接続される第２のバリキャップダイオードを含むＩＣとを備えた電圧制御水晶発振器であって、ＩＣが、第１のバリキャップダイオードのアノード側に一端が接続し、他端が接地された第１のトリミング素子と、第２のバリキャップダイオードのアノード側に一端が接続し、他端が接地された第２のトリミング素子とを備えたことを特徴としている。
【００１４】
また、本発明は、上記電圧制御水晶発振器において、第１のトリミング素子に並列に接続された第３のバリキャップダイオードと、第２のトリミング素子に並列に接続された第４のバリキャップダイオードとを備えたことを特徴としている。
【００１５】
また、本発明は、上記電圧制御水晶発振器において、第１のトリミング素子に並列に接続された第１のコンデンサと、第２のトリミング素子に並列に接続された第２のコンデンサとを備えたことを特徴としている。
【００１６】
また、上記従来例の問題点を解決するための本発明は、水晶振動子と、水晶振動子に並列に接続されたインバータ、インバータの入力側に接続される第１のバリキャップダイオード、インバータの出力側に接続される第２のバリキャップダイオードを含むＩＣとを備えた電圧制御水晶発振器であって、ＩＣは、第１のバリキャップダイオードに並列に、直列接続された第３のトリミング素子と第５のバリキャップダイオードが設けられ、第２のバリキャップダイオードに並列に、直列接続された第４のトリミング素子と第６のバリキャップダイオードが設けられていることを特徴としている。
【００１７】
また、上記従来例の問題点を解決するための本発明は、水晶振動子と、水晶振動子に並列に接続されたインバータ、インバータの入力側に接続される第１のバリキャップダイオード、インバータの出力側に接続される第２のバリキャップダイオードを含むＩＣとを備えた電圧制御水晶発振器であって、ＩＣは、第１のバリキャップダイオードに並列に、直列接続された第５のトリミング素子と第３のコンデンサが設けられ、第２のバリキャップダイオードに並列に、直列接続された第６のトリミング素子と第４のコンデンサが設けられていることを特徴としている。
【発明の効果】
【００１８】
本発明によれば、水晶振動子と、水晶振動子に並列に接続されたインバータ、インバータの入力側に接続される第１のバリキャップダイオード、インバータの出力側に接続される第２のバリキャップダイオードを含むＩＣとを備えた電圧制御水晶発振器であって、ＩＣが、第１のバリキャップダイオードのアノード側に一端が接続し、他端が接地された第１のトリミング素子と、第２のバリキャップダイオードのアノード側に一端が接続し、他端が接地された第２のトリミング素子とを備えた電圧制御水晶発振器としているので、トリミング素子を切断すれば、それに接続された内蔵バリキャップダイオードを無効とすることができ、代わりに内蔵バリキャップダイオードとは異なる特性のバリキャップダイオードを外付けで設けることにより、周波数可変量特性を調整することができ、ＩＣそのものを交換しなくても低コスト且つ容易に可変量特性を調整でき、また、調整の自由度を大きくして所望の特性を得ることができる効果がある。
【００１９】
また、本発明によれば、第１のトリミング素子に並列に接続された第３のバリキャップダイオードと、第２のトリミング素子に並列に接続された第４のバリキャップダイオードとを備えた上記電圧制御水晶発振器としているので、第３、第４のバリキャップダイオードの特性を適宜選択することにより、トリミング素子の非切断／切断に応じて、周波数可変量特性を低コスト且つ容易に所望の特性に調整することができ、また、外付けバリキャップダイオードを不要として小型化を図ることができる効果がある。
【００２０】
また、本発明によれば、第１のトリミング素子に並列に接続された第１のコンデンサと、第２のトリミング素子に並列に接続された第２のコンデンサとを備えた上記電圧制御水晶発振器としているので、第１、第２のコンデンサの特性を適宜選択することにより、トリミング素子の非切断／切断に応じて、周波数可変量特性を低コスト且つ容易に所望の特性に調整することができ、また、外付けバリキャップダイオードを不要として小型化を図ることができる効果がある。
【００２１】
また、本発明によれば、水晶振動子と、水晶振動子に並列に接続されたインバータ、インバータの入力側に接続される第１のバリキャップダイオード、インバータの出力側に接続される第２のバリキャップダイオードを含むＩＣとを備えた電圧制御水晶発振器であって、ＩＣは、第１のバリキャップダイオードに並列に、直列接続された第３のトリミング素子と第５のバリキャップダイオードが設けられ、第２のバリキャップダイオードに並列に、直列接続された第４のトリミング素子と第６のバリキャップダイオードが設けられている電圧制御水晶発振器としているので、第５、第６のバリキャップダイオードの特性を適宜選択することにより、トリミング素子の非切断／切断に応じて、周波数可変量特性を低コスト且つ容易に所望の特性に調整することができ、また、外付けバリキャップダイオードを不要として小型化を図ることができる効果がある。
【００２２】
また、本発明によれば、水晶振動子と、水晶振動子に並列に接続されたインバータ、インバータの入力側に接続される第１のバリキャップダイオード、インバータの出力側に接続される第２のバリキャップダイオードを含むＩＣとを備えた電圧制御水晶発振器であって、ＩＣは、第１のバリキャップダイオードに並列に、直列接続された第５のトリミング素子と第３のコンデンサが設けられ、第２のバリキャップダイオードに並列に、直列接続された第６のトリミング素子と第４のコンデンサが設けられている電圧制御水晶発振器としているので、第３、第４のコンデンサの特性を適宜選択することにより、トリミング素子の非切断／切断に応じて、周波数可変量特性を低コスト且つ容易に所望の特性に調整することができ、また、外付けバリキャップダイオードを不要として小型化を図ることができる効果がある。
【図面の簡単な説明】
【００２３】
【図１】本発明の第１の実施の形態に係る電圧制御水晶発振器の回路図である。
【図２】第１のＶＣＸＯにおいてトリミング素子３１,３２を切断した場合の回路図である。
【図３】第１のＶＣＸＯにおける外付けバリキャップダイオードの特性と周波数可変量特性の例を示す特性図である。
【図４】本発明の第２の実施の形態に係る電圧制御水晶発振器に用いられるＩＣの回路図である。
【図５】第２のＶＣＸＯの周波数可変量特性を示す特性図であり、（ａ）はトリミング素子４３，４４が非切断の状態での可変量特性、（ｂ）はトリミング素子４３，４４が切断された状態における可変量特性を示している。
【図６】本発明の第３の実施の形態に係る電圧制御水晶発振器に用いられるＩＣの回路図である。
【図７】第３のＶＣＸＯの周波数可変量特性を示す特性図であり、（ａ）はトリミング素子５３，５４が非切断の状態での可変量特性、（ｂ）はトリミング素子５３，５４が切断された状態での可変量特性を示している。
【図８】本発明の第４の実施の形態に係る電圧制御水晶発振器に用いられるＩＣの回路図である。
【図９】第４のＶＣＸＯの周波数可変量特性を示す特性図であり、（ａ）はトリミング素子６３，６４が非切断の状態での可変量特性、（ｂ）はトリミング素子６３，６４が切断された状態での可変量特性を示している。
【図１０】本発明の第５の実施の形態に係る電圧制御水晶発振器に用いられるＩＣの回路図である。
【図１１】第５のＶＣＸＯの周波数可変量特性を示す特性図であり、（ａ）はトリミング素子７３，７４が非切断の状態での可変量特性、（ｂ）はトリミング素子７３，７４が切断された状態での可変量特性を示している。
【図１２】従来のＶＣＸＯの一例を示す回路図である。
【図１３】従来のＶＣＸＯの可変量特性の一例を示す特性図である。
【発明を実施するための形態】
【００２４】
本発明の実施の形態について図面を参照しながら説明する。
［実施の形態の概要］
本発明の実施の形態に係る電圧制御水晶発振器は、水晶振動子の両端に接続されるバリキャップダイオードを含むＩＣを備え、当該ＩＣにおいて、一端がバリキャップダイオードのアノード側に接続し、他端が接地するトリミング素子を設け、要求される可変量特性に応じてトリミング素子を切断して、内蔵バリキャップダイオードを回路から切断し、その代わりに所望の特性が得られるバリキャップダイオードを水晶振動子の両端に外付けで設けるようにしているので、安価且つ容易に可変量特性を調整することができ、また、トリミング素子を切断しない場合には小型の発振器を実現でき、切断した場合には可変量特性の調整幅を大きくとることができるものである。
【００２５】
また、本発明の実施の形態に係る電圧制御水晶発振器は、水晶振動子の両端に接続される第１、第２のバリキャップダイオードを含むＩＣを備え、当該ＩＣにおいて、第１、第２のバリキャップダイオードのアノード側に、第３、第４のバリキャップダイオードを備え、第３,第４のバリキャップダイオードに並列にそれぞれトリミング素子を設けているので、トリミング素子の非切断／切断によって、水晶振動子の両端に接続されるバリキャップダイオードの数を変えて、可変量特性を容易に調整することができ、また、外付けバリキャップダイオードを不要として小型化を図ることができるものである。
【００２６】
［第１の実施の形態：図１］
本発明の第１の実施の形態に係る電圧制御水晶発振器について図１を用いて説明する。図１は、本発明の第１の実施の形態に係る電圧制御水晶発振器の回路図である。尚、図１２に示した従来の電圧制御水晶発振器と同様の構成部分については同一の符号を付しており、説明は省略する。
【００２７】
図１に示すように、本発明の第１の実施の形態に係る電圧制御水晶発振器（第１のＶＣＸＯ）は、水晶振動子１とＩＣ３とを備えている。
ＩＣ３には、汎用性が高い特性を備えたバリキャップダイオード２６，２７が設けられている。バリキャップダイオード２６,２７は、それぞれ、請求項に記載した第１、第２のバリキャップダイオードに相当している。
【００２８】
ＩＣ３は、第１のＶＣＸＯの特徴部分であり、図１２に示した従来のＶＣＸＯにおけるＩＣ２の構成に加えて、バリキャップダイオード２６のアノード側にトリミング素子３１が直列に設けられ、バリキャップダイオード２７のアノード側にトリミング素子３２が直列に設けられている。トリミング素子３１,３２の他端は接地されている。
トリミング素子３１，３２は、基板上に形成された導体パターンであり、必要に応じてレーザで切断されるものである。
トリミング素子３１,３２は、それぞれ、請求項に記載した第１、第２のトリミング素子に相当する。
【００２９】
そして、トリミング素子３１，３２が接続されている状態（非切断の状態）では、図１のＩＣ３は、トリミング素子３１，３２がショート状態となり、バリキャップダイオード２６,２７は回路に接続された状態となる。
つまり、トリミング素子３１，３２が非切断の場合、ＩＣ３は、図１２に示したＩＣ２と同等の回路となり、第１のＶＣＸＯは図１３と同等の可変量が得られる。
トリミング素子３１,３２を切断せずにそのまま用いれば、小型のＶＣＸＯとすることができるものである。
【００３０】
一方、固定通信用など、バリキャップダイオード２６，２７による可変量の調整範囲を超える特性が要求される場合には、トリミング素子３１,３２を切断する。
これにより、トリミング素子３１,３２はハイインピーダンス状態となって、ＩＣ３内のバリキャップダイオード２６,２７は実質的に回路から切断される。
そして、その代わりに、所望の可変量特性に応じた外付けのバリキャップダイオードを水晶振動子１の両端に接続する。
【００３１】
［トリミング素子を切断した場合：図２］
トリミング素子３１，３２を切断した場合の回路構成例について図２を用いて説明する。図２は、第１のＶＣＸＯにおいてトリミング素子３１,３２を切断した場合の回路図である。
図２に示すように、トリミング素子３１,３２を切断した場合、ＩＣ３内のバリキャップダイオード２６，２７は無効となるため、水晶振動子１の両端に外付けのバリキャップダイオード３３,３４を接続する。
【００３２】
外付けのバリキャップダイオード３３，３４は、ＩＣ３に内蔵されたバリキャップダイオード２６，２７では得られない可変量特性を実現するものであり、所望の可変量特性が得られるようバリキャップダイオード３３，３４の特性を選択する。
バリキャップダイオード３３，３４の種類（特性）を変えることにより、様々な可変量特性を実現することができるものである。
【００３３】
トリミング素子３１，３２を切断した場合、外付けのバリキャップダイオード３３，３４が必要となるため、切断しない場合に比べてサイズはやや大きくなるが、任意にバリキャップダイオードを選択できるので、周波数可変量の調整範囲を広くすることができるものである。
固定通信用の場合、小型化よりも周波数可変量の調整が優先されることが多いので、外付けのバリキャップダイオードを設けることで多少サイズが大きくなっても支障はない。
【００３４】
［第１のＶＣＸＯの周波数可変量特性：図３］
次に、第１のＶＣＸＯにおける外付けバリキャップダイオードの特性と周波数可変量特性について図３を用いて説明する。図３は、第１のＶＣＸＯにおける外付けバリキャップダイオードの特性と周波数可変量特性の例を示す特性図である。
図３（ａ）は、バリキャップダイオードＡの特性を示し、（ｂ）は、外付けバリキャップダイオードとしてバリキャップダイオードＡを用いた場合の可変量特性を示している。
また、図３（ｃ）は、バリキャップダイオードＢの特性を示し（ｄ）は、バリキャップダイオードＢを用いた場合の可変量特性を示している。
【００３５】
図３（ａ）（ｃ）に示すように、バリキャップダイオードＡとバリキャップダイオードＢとは特性が異なる。
そして、（ｂ）（ｄ）に示すように、バリキャップダイオードＡを用いた（ｂ）に比べてバリキャップダイオードＢを用いた（ｄ）は可変量が大きくなっている。
このように、異なる特性の外付けバリキャップダイオードを用いることにより、第１のＶＣＸＯの周波数可変量特性を所望の特性に調整することができるものである。
【００３６】
また、ここでは、トリミング素子３１,３２を両方とも切断した例について説明したが、要求される可変量特性に応じて、いずれか一方のみを切断して、切断された側のみに外付けダイオードを設けるようにしてもよい。
【００３７】
［第１の実施の形態の効果］
本発明の第１の実施の形態に係る電圧制御水晶発振器によれば、バリキャップダイオード２６,２７を含む発振回路を備えたＩＣ３において、バリキャップダイオード２６，２７のアノード側にトリミング素子３１，３２を直列に設けた構成としているので、トリミング素子３１,３２を非切断とすれば、バリキャップダイオード２６，２７に応じた周波数可変量特性が得られ、トリミング素子３１，３２を切断して、特性が異なる外付けバリキャップダイオード３３，３４を設ければ、別の周波数可変量特性とすることができ、ＩＣ３そのものを交換することなく低コスト且つ容易に周波数可変量特性を調整することができる効果がある。
【００３８】
また、第１の電圧制御水晶発振器によれば、種々の要求に合わせてそれぞれ専用のＩＣを用意しなくても、１種類のＩＣで周波数可変量の調整が可能となるので、開発に要するコストや時間を低減できる効果がある。
【００３９】
特に、第１の電圧制御水晶発振器によれば、ＩＣ３内のバリキャップダイオード２６，２７の特性を小型化が要求される用途に合わせた特性としておけば、トリミング素子３１，３２を切断せずそのまま用いた場合には小型化の要求に十分対応でき、トリミング素子３１,３２を切断すれば、周波数可変量の自由度が大きくなるため、小型化よりも可変量の調整幅が要求される固定通信用の電圧制御水晶発振器に十分対応できる効果がある。
【００４０】
［第２の実施の形態：図４］
次に、本発明の第２の実施の形態に係る電圧制御水晶発振器について図４を用いて説明する。図４は、本発明の第２の実施の形態に係る電圧制御水晶発振器に用いられるＩＣの回路図である。尚、図１２に示した従来の電圧制御水晶発振器と同様の構成部分については同一の符号を付しており、説明は省略する。
【００４１】
図４に示すように、本発明の第２の実施の形態に係る電圧制御水晶発振器（第２のＶＣＸＯ）のＩＣ４は、図１２に示した従来のＶＣＸＯにおけるＩＣ２の構成に加えて、バリキャップダイオード２６のアノード側にバリキャップダイオード４１の一端が接続し、その他端が接地されており、バリキャップダイオード４１にトリミング素子４３が並列に接続され、また、バリキャップダイオード２７のアノード側にバリキャップダイオード４２の一端が接続し、他端が接地されており、バリキャップダイオード４２にトリミング素子４４が並列に接続されているものである。
【００４２】
尚、この構成は、図１に示した回路において、バリキャップダイオード２６,２７に直列に設けられたトリミング素子３１，３２に対して、それぞれ、別のバリキャップダイオードが並列に接続された構成と同等となっている。
【００４３】
バリキャップダイオード４１，４２は、バリキャップダイオード２６，２７と同じ特性又は異なる特性であり、所望の可変量特性に応じて適宜選択される。
バリキャップダイオード４１，４２は、それぞれ、請求項に記載した第３、第４のバリキャップダイオードに相当する。
【００４４】
トリミング素子４３,４４の非切断／切断について説明する。
トリミング素子４３，４４が非切断の場合、トリミング素子４３，４４はショート状態となるため、バリキャップダイオード４１，４２は、実質的に機能しない。
つまり、ＩＣ４は、ＸＴ端子にはバリキャップダイオード２６のみが接続され、ＸＴＮ端子にはバリキャップダイオード２７のみが接続されたものとなる。これは、図１２のＩＣ２と同等である。
【００４５】
また、トリミング素子４３，４４が切断された場合、バリキャップダイオード２６とバリキャップダイオード４１とが直列に接続され、バリキャップダイオード２７とバリキャップダイオード４２とが直列に接続された状態となる。
つまり、ＸＴ端子、ＸＴＮ端子には、それぞれバリキャップダイオード２個が直列に接続された構成となる。
【００４６】
［第２のＶＣＸＯの周波数可変量特性：図５］
次に、第２のＶＣＸＯの周波数可変量特性について図５を用いて説明する。図５は、第２のＶＣＸＯの周波数可変量特性を示す特性図であり、（ａ）はトリミング素子４３，４４が非切断の状態での可変量特性、（ｂ）はトリミング素子４３，４４が切断された状態における可変量特性を示している。
【００４７】
図５（ａ）に示すように、トリミング素子４３,４４が非切断の場合、第２のＶＣＸＯの可変量特性は、図１３に示した従来の可変量と同等となる。
また、図５（ｂ）に示すように、トリミング素子４３，４４が切断された場合、バリキャップダイオード２６，４１、及びバリキャップダイオード２７，４２が直列に接続され、可変量は（ａ）に比べて大きくなる。
【００４８】
バリキャップダイオード４１，４２の特性を適切に選択することにより、所望の可変量を得ることができるものである。
また、第２のＶＣＸＯにおいても、要求される可変量特性に応じて、トリミング素子４３,４４のいずれか一方のみを切断してもよい。
【００４９】
［第２の実施の形態の効果］
本発明の第２の実施の形態に係る電圧制御水晶発振器によれば、発振回路を備えたＩＣ４において、バリキャップダイオード２６のアノード側にバリキャップダイオード４１の一端が接続し他端が接地され、バリキャップダイオード４１にトリミング素子４３が並列に接続され、また、バリキャップダイオード２７のアノード側にバリキャップダイオード４２の一端が接続し他端が接地され、バリキャップダイオード４２にトリミング素子４４が並列に接続された構成としているので、トリミング素子４３,４４を切断すれば、水晶振動子の一端にバリキャップダイオードが２個直列に接続された構成となり、周波数可変量を大きくすることができ、ＩＣそのものを別のものに交換しなくても、トリミング素子４３,４４の非切断／切断に応じて、低コスト且つ簡易に周波数可変量の調整を行うことができる効果がある。
【００５０】
また、第２のＶＣＸＯでは、トリミング素子４３,４４を切断してもバリキャップダイオード２６,２７はそのまま残るので、外付けのバリキャップダイオードは不要であり、電子部品をＩＣに集積して、小型の形状を保ちつつ周波数可変量特性の調整を可能とすることができる効果がある。
【００５１】
［第３の実施の形態：図６］
次に、本発明の第３の実施の形態に係る電圧制御水晶発振器について図６を用いて説明する。図６は、本発明の第３の実施の形態に係る電圧制御水晶発振器に用いられるＩＣの回路図である。図１２に示した従来の電圧制御水晶発振器と同様の構成部分については同一の符号を付している。
図６に示すように、本発明の第３の実施の形態に係る電圧制御水晶発振器（第３のＶＣＸＯ）のＩＣ５は、図１２に示したＩＣ２の構成に加えて、バリキャップダイオード２６のアノード側にコンデンサ５１の一端が接続され、他端が接地され、コンデンサ５１にトリミング素子５３が並列に接続され、また、バリキャップダイオード２７のアノード側にコンデンサ５２の一端が接続され、他端が接地され、コンデンサ５２にトリミング素子５４が並列に接続されたものである。
【００５２】
尚、この構成は、図１に示した回路において、バリキャップダイオード２６,２７に直列に設けられたトリミング素子３１,３２に対して、それぞれ、コンデンサが並列に接続された構成と同等となっている。
コンデンサ５１,５２は、それぞれ、請求項に記載した第１、第２のコンデンサに相当する。
【００５３】
トリミング素子５３,５４の非切断／切断について説明する。
トリミング素子５３，５４が非切断の場合、トリミング素子５３,５４はショート状態となるため、コンデンサ５１,５２は実質的に切断され、ＸＴ端子、ＸＴＮ端子には、バリキャップダイオード２６,２７のみが接続されたものとなる。これは、図１２のＩＣ２と同等である。
【００５４】
また、トリミング素子５３，５４が切断された場合、バリキャップダイオード２６とコンデンサ５１とが直列に接続され、バリキャップダイオード２７とコンデンサ５２とが直列に接続された状態となる。
【００５５】
［第３のＶＣＸＯの周波数可変量特性：図７］
次に、第３のＶＣＸＯの周波数可変量特性について図７を用いて説明する。図７は、第３のＶＣＸＯの周波数可変量特性を示す特性図であり、（ａ）はトリミング素子５３，５４が非切断の状態での可変量特性、（ｂ）はトリミング素子５３，５４が切断された状態での可変量特性を示している。
【００５６】
図７（ａ）に示すように、トリミング素子５３，５４が非切断の場合、第３のＶＣＸＯの周波数可変量特性は、図１３に示した従来の可変量と同等となる。
また、図７（ｂ）に示すように、トリミング素子５３，５４が切断された場合、バリキャップダイオード２６とコンデンサ５１、バリキャップダイオード２７とコンデンサ５２とが直列に接続され、（ａ）に比べてカーブが緩やかになり、周波数可変量は小さくなる。
【００５７】
コンデンサ５１，５２の特性を適切に選択することにより、所望の可変量を得ることができるものである。
また、第３のＶＣＸＯにおいても、要求される可変量特性に応じて、トリミング素子５３,５４のいずれか一方のみを切断してもよい。
【００５８】
［第３の実施の形態の効果］
本発明の第３の実施の形態に係る電圧制御水晶発振器によれば、ＩＣ５において、バリキャップダイオード２６のアノード側にコンデンサ５１の一端が接続され、他端が接地され、コンデンサ５１にトリミング素子５３が並列に接続され、また、バリキャップダイオード２７のアノード側にコンデンサ５２の一端が接続され、他端が接地され、コンデンサ５２にトリミング素子５４が並列に接続された構成としているので、トリミング素子５３,５４を切断すれば、バリキャップダイオード２６,２７にコンデンサ５１，５２が直列に接続された構成となり、周波数可変量を小さくすることができ、ＩＣそのものを交換しなくても、トリミング素子５３,５４の非切断／切断に応じて、低コスト且つ簡易に周波数可変量の調整を行うことができ、また、小型化を図ることができる効果がある。
【００５９】
［第４の実施の形態：図８］
次に、本発明の第４の実施の形態に係る電圧制御水晶発振器について図８を用いて説明する。図８は、本発明の第４の実施の形態に係る電圧制御水晶発振器に用いられるＩＣの回路図である。尚、図１２に示した従来の電圧制御水晶発振器と同様の構成部分については同一の符号を付している。
【００６０】
図８に示すように、本発明の第４の実施の形態に係る電圧制御水晶発振器（第４のＶＣＸＯ）のＩＣ６は、図１２に示したＩＣ２の構成に加えて、バリキャップダイオード２６に並列に、直列接続されたバリキャップダイオード６１とトリミング素子６３が接続されると共に、バリキャップダイオード２７に並列に、直列接続されたバリキャップダイオード６２とトリミング素子６４が接続されている。
バリキャップダイオード６１,６２は、それぞれ、請求項に記載した第５、第６のバリキャップダイオードに相当し、トリミング素子６３,６４は、第３、第４のトリミング素子に相当している。
【００６１】
トリミング素子６３,６４の非切断／切断について説明する。
トリミング素子６３，６４が非切断の場合、ＸＴ端子にはバリキャップダイオード２６,６１が並列に接続され、ＸＴＮ端子にはバリキャップダイオード２７，６２が並列に接続された状態となる。
【００６２】
また、トリミング素子６３，６４が切断された場合、トリミング素子６３，６４はハイインピーダンス状態となるため、バリキャップダイオード６１,６２は実質的に切断され、ＸＴ端子、ＸＴＮ端子には、それぞれバリキャップダイオード２６,２７のみが接続されたものとなる。これは、図１２のＩＣ２と同等である。
【００６３】
［第４のＶＣＸＯの周波数可変量特性：図９］
次に、第４のＶＣＸＯの周波数可変量特性について図９を用いて説明する。図９は、第４のＶＣＸＯの周波数可変量特性を示す特性図であり、（ａ）はトリミング素子６３，６４が非切断の状態での可変量特性、（ｂ）はトリミング素子６３，６４が切断された状態での可変量特性を示している。
【００６４】
まず、図９（ｂ）に示すように、トリミング素子６３，６４が切断された状態の場合、第４のＶＣＸＯの周波数可変量特性は、図１３に示した従来の可変量と同等となる。
また、図９（ａ）に示すように、トリミング素子６３，６４が非切断の場合、２つのバリキャップダイオード２６,６１と、バリキャップダイオード２７，６２とが並列に接続され、（ｂ）に比べて緩やかな変化となって、周波数可変量が小さくなる。
【００６５】
バリキャップダイオード６１，６２の特性を適切に選択することにより、所望の可変量を得ることができるものである。
また、第４のＶＣＸＯにおいても、要求される可変量特性に応じて、トリミング素子６３,６４のいずれか一方のみを切断してもよい。
【００６６】
［第４の実施の形態の効果］
本発明の第４の実施の形態に係る電圧制御水晶発振器によれば、ＩＣ６において、バリキャップダイオード２６に並列に、直列接続されたバリキャップダイオード６１とトリミング素子６３が接続されると共に、バリキャップダイオード２７に並列に、直列接続されたバリキャップダイオード６２とトリミング素子６４が接続された構成としているので、トリミング素子６３，６４が非切断の場合には、バリキャップダイオード２６，６１が並列に接続され、バリキャップダイオード２７，６２が並列に接続された構成となって、周波数可変量を小さくし、切断の場合には非切断時よりも周波数可変量を大きくすることができ、ＩＣそのものを交換しなくても、トリミング素子６３,６４の非切断／切断に応じて、低コスト且つ簡易に周波数可変量の調整を行うことができ、また、小型化を図ることができる効果がある。
【００６７】
［第５の実施の形態：図１０］
次に、本発明の第５の実施の形態に係る電圧制御水晶発振器について図１０を用いて説明する。図１０は、本発明の第５の実施の形態に係る電圧制御水晶発振器に用いられるＩＣの回路図である。尚、図１２に示した従来の電圧制御水晶発振器と同様の構成部分については同一の符号を付している。
【００６８】
図１０に示すように、本発明の第５の実施の形態に係る電圧制御水晶発振器(第５のＶＣＸＯ)のＩＣ７は、図１２に示したＩＣ２の構成に加えて、バリキャップダイオード２６に並列に、直列接続されたトリミング素子７３とコンデンサ７１が接続されると共に、バリキャップダイオード２７に並列に、直列接続されたトリミング素子７４とコンデンサ７２が接続されている。
コンデンサ７１,７２は、それぞれ、請求項に記載した第３、第４のコンデンサに相当し、トリミング素子７３,７４は、第５、第６のトリミング素子に相当している。
【００６９】
トリミング素子７３，７４の非切断／切断について説明する。
トリミング素子７３,７４が非切断の場合、ＸＴ端子にはバリキャップダイオード２６とコンデンサ７１が並列に接続され、ＸＴＮ端子にはバリキャップダイオード２７とコンデンサ７２が並列に接続された状態となる。
【００７０】
また、トリミング素子７３,７４が切断された場合、トリミング素子７３，７４はハイインピーダンス状態となるため、コンデンサ７１,７２は実質的に切断され、ＸＴ端子、ＸＴＮ端子には、それぞれバリキャップダイオード２６,２７のみが接続されたものとなる。これは、図１２のＩＣ２と同等である。
【００７１】
［第５のＶＣＸＯの周波数可変量特性：図１１］
次に、第５のＶＣＸＯの周波数可変量特性について図１１を用いて説明する。図１１は、第５のＶＣＸＯの周波数可変量特性を示す特性図であり、（ａ）はトリミング素子７３，７４が非切断の状態での可変量特性、（ｂ）はトリミング素子７３，７４が切断された状態での可変量特性を示している。
【００７２】
まず、図１１（ｂ）に示すように、トリミング素子７３，７４が切断された状態の場合、第５のＶＣＸＯの周波数可変量特性は、図１３に示した従来の可変量と同等となる。
また、図１１（ａ）に示すように、トリミング素子７３，７４が非切断の場合、バリキャップダイオード２６とコンデンサ７１、バリキャップダイオード２７とコンデンサ７２が並列に接続され、（ｂ）に比べて緩やかな変化となって、周波数可変量が小さくなる。
【００７３】
コンデンサ７１，７２の特性を適切に選択することにより、所望の可変量を得ることができるものである。
また、第５のＶＣＸＯにおいても、要求される可変量特性に応じて、トリミング素子７３,７４のいずれか一方のみを切断してもよい。
【００７４】
［第５の実施の形態の効果］
本発明の第５の実施の形態に係る電圧制御水晶発振器によれば、ＩＣ７において、バリキャップダイオード２６に並列に、直列接続されたトリミング素子７３とコンデンサ７１が接続されると共に、バリキャップダイオード２７に並列に、直列接続されたトリミング素子７４とコンデンサ７２が接続された構成としているので、トリミング素子７３，７４が非切断の場合には、バリキャップダイオード２６とコンデンサ７１が並列に接続され、バリキャップダイオード２７とコンデンサ７２が並列に接続された構成となって、周波数可変量を小さくすることができ、また、切断時には非切断時よりも周波数可変量を大きくすることができ、ＩＣそのものを交換しなくても、トリミング素子７３,７４の非切断／切断に応じて、低コスト且つ簡易に周波数可変量の調整を行うことができ、また、小型化を図ることができる効果がある。
【産業上の利用可能性】
【００７５】
本発明は、用途に応じて出力周波数の可変量特性を容易に調整することができる電圧制御水晶発振器に適している。
【符号の説明】
【００７６】
１...水晶振動子、  ２，３，４，５，６，７...ＩＣ、  ２１...第１のインバータ、  ２...第２のインバータ、  ２３，２８，２９...抵抗、  ２４，２５，５１，５２，７１，７２...コンデンサ、  ２６，２７，４１，４２，６１，６２...バリキャップダイオード、  ３１，３２，４３，４４，５３，５４，６３，６４，７３，７４...トリミング素子、  ３３，３４...外付けバリキャップダイオード
【図１】
2014171159.tif 000003
【図２】
2014171159.tif 000004
【図３】
2014171159.tif 000005
【図４】
2014171159.tif 000006
【図５】
2014171159.tif 000007
【図６】
2014171159.tif 000008
【図７】
2014171159.tif 000009
【図８】
2014171159.tif 000010
【図９】
2014171159.tif 000011
【図１０】
2014171159.tif 000012
【図１１】
2014171159.tif 000013
【図１２】
2014171159.tif 000014
【図１３】
2014171159.tif 000015